(57)【要約】【課題】おむつ本体の側部から延出するファスニングテープ等のファスニング部材を備えた展開型の使い捨ておむつにおいて、ファスニング部材の延出方向と直交する方向やファスニング部材の基端部から先端部に向けた方向の引き剥がす力が加わった場合にも、ファスニング部材の剥がれ防止効果が十分に奏される使い捨ておむつを提供すること。【解決手段】おむつ本体及び該おむつ本体の側部から延出するファスニング部材５を具備し、ファスニング部材５は、基材６及び基材６の表面に接合された止着材７を備え、止着材７を前記おむつ本体に止着することにより装着形態を形成する展開型の使い捨ておむつであって、止着材７は、その基材６との対向面における周縁部全周に未接合部７２が形成されるように、基材６の表面に接合部７１により接合されている。【選択図】図４
2007236434.tif 000002
【特許請求の範囲】
【請求項１】
おむつ本体及び該おむつ本体の側部から延出するファスニング部材を具備し、前記ファスニング部材は、基材及び該基材の表面に接合された止着材を備え、該止着材を前記おむつ本体に止着することにより装着形態を形成する展開型の使い捨ておむつであって、
前記止着材は、その前記基材との対向面における周縁部全周に未接合部が形成されるように、該基材の表面に接合部により接合されている使い捨ておむつ。
【請求項２】
前記止着材及び前記接合部は、何れも長方形の形状を有しており、前記ファスニング部材の延出方向又は該延出方向に直交する方向に沿って配置されている請求項１記載の使い捨ておむつ。
【請求項３】
前記未接合部は、前記止着材における前記対向面の周縁に沿う幅が、１〜１０ｍｍである請求項１又は２に記載の使い捨ておむつ。
【発明の詳細な説明】
【技術分野】
【０００１】
本発明は、展開型の使い捨ておむつに関する。
【背景技術】
【０００２】
従来より、おむつ本体の背側部の両側部から延出する一対のファスニングテープを有し、ファスニングテープをおむつ本体の腹側部の外面に設けたランディングテープに止着可能な展開型の使い捨ておむつが用いられている。ファスニングテープは、例えば、テープ基材に、メカニカルファスナーのフック材等の止着材が接合されて構成されている。このような展開型の使い捨ておむつによれば、ファスニングテープの止着材をランディングテープに止着することにより装着形態を形成することができる。
【０００３】
また、出願人は、ファスニングテープにおいて、テープ基材に止着材を、止着材におけるテープ基材の基端部側に固着域を設け且つテープ基材の先端部側に非固着域を設けて固着する技術を提案している（下記特許文献１参照）。特許文献１記載の使い捨ておむつによれば、ファスニングテープをその先端部から基端部に向けた方向に引き剥がす力に対しては、ファスニングテープの十分な剥がれ防止効果が奏される。そのため、ファスニングテープが着用者の誤操作やいたずらによって剥がれることを効果的に防止することができる。
【０００４】
【特許文献１】特開平１０−２８７０４号公報
【発明の開示】
【発明が解決しようとする課題】
【０００５】
ところで、ファスニングテープには、その先端部から基端部に向けた方向以外の方向、具体的には、ファスニングテープの延出方向と直交する方向（通常、おむつ長手方向）やファスニングテープの基端部から先端部に向けた方向にも、引き剥がす力が加わることが多い。
しかし、特許文献１記載の使い捨ておむつにおいては、その先端部から基端部に向けた方向以外の方向に引き剥がす力が加わった場合には、ファスニングテープの剥がれ防止効果がほとんど奏されない。
【０００６】
従って、本発明の目的は、おむつ本体の側部から延出するファスニングテープ等のファスニング部材を備えた展開型の使い捨ておむつにおいて、ファスニング部材の延出方向と直交する方向やファスニング部材の基端部から先端部に向けた方向の引き剥がす力が加わった場合にも、ファスニング部材の剥がれ防止効果が十分に奏される使い捨ておむつを提供することにある。
【課題を解決するための手段】
【０００７】
本発明は、おむつ本体及び該おむつ本体の側部から延出するファスニング部材を具備し、前記ファスニング部材は、基材及び該基材の表面に接合された止着材を備え、該止着材を前記おむつ本体に止着することにより装着形態を形成する展開型の使い捨ておむつであって、前記止着材は、その前記基材との対向面における周縁部全周に未接合部が形成されるように、該基材の表面に接合部により接合されている使い捨ておむつを提供することにより、上記目的を達成したものである。
【発明の効果】
【０００８】
本発明の使い捨ておむつによれば、おむつ本体の側部から延出するファスニングテープ等のファスニング部材を備えた展開型の使い捨ておむつにおいて、ファスニング部材の延出方向と直交する方向やファスニング部材の基端部から先端部に向けた方向の引き剥がす力が加わった場合にも、ファスニング部材の剥がれ防止効果が十分に奏される。
【発明を実施するための最良の形態】
【０００９】
以下、本発明の使い捨ておむつをその好ましい一実施形態に基づき図面を参照しながら説明する。
本実施形態の使い捨ておむつは、図１及び図２に示すように、おむつ本体１及びおむつ本体１の側部から延出するファスニング部材５を具備している。ファスニング部材５は、基材６及び基材６の表面に接合された止着材７を備えている。そして、本実施形態の使い捨ておむつは、図１及び図３に示すように、ファスニング部材５の止着材７をおむつ本体１に止着することにより装着形態を形成する展開型の使い捨ておむつである。
【００１０】
本実施形態の使い捨ておむつについて詳述する。本実施形態の使い捨ておむつは、図１及び図２に示すように、成人用の展開型の使い捨ておむつであり、おむつ本体１及びおむつ本体１の両側部（サイドフラップ１１）から幅方向に延出する一対のファスニング部材５，５を具備している。
【００１１】
おむつ本体１は、長手方向中央部に股下部Ｃを有し、股下部Ｃから長手方向に背側及び腹側それぞれに延びる背側部Ａ及び腹側部Ｂを有している。おむつ本体１は、股下部Ｃの両側縁が幅方向内向きの円弧状に湾曲しており、全体として長手方向中央部が内方に括れた砂時計形状となっている。
【００１２】
裏面シート３は、おむつ本体１の全体形状と実質的に同じ砂時計形状を有している。吸収体４は、裏面シート３に類似する小さい砂時計形状を有しており、裏面シート３の周縁よりも内方に配されている。表面シート２は、吸収体４よりも大きい略長方形形状を有しており、裏面シート３の幅方向中央部に配されている。
表面シート２及び裏面シート３は、それぞれ吸収体４の幅方向両側部及び長手方向前後部から外方に延出しており、それらの延出部において直接的に又は他の部材を介在させて互いに接合されている。
【００１３】
おむつ本体１の両側部には、それぞれサイドギャザー形成用シート１２が、裏面シート３の両側部から表面シート２の両側部を覆う位置まで配されている。そのため、裏面シート３の肌当接面側における表面シート２が配されていない領域は、サイドギャザー形成用シート１２により被覆されている。従って、おむつ本体１の肌当接面側は、表面シート２及びサイドギャザー形成用シート１２から形成されている。
【００１４】
サイドギャザー形成用シート１２の幅方向内側部は、平面視で吸収体４の両側部よりもそれぞれ幅方向外方の位置から立設し、自由端を形成している。この自由端には、サイドギャザー形成用弾性部材１３が長手方向に沿って伸長状態で挟持固定されて複数本（例えば３本）配されており、これによってサイドギャザーが形成されている。
【００１５】
尚、サイドギャザー形成用シート１２の幅方向内側部は、平面視で吸収体４の両側部よりもそれぞれ幅方向内方の位置から立設し、自由端を形成していてもよい。また、表面シート２を裏面シート３と同じ形状として、表面シート２のみで吸収体４及び吸収体４の両側部よりも幅方向外側に位置する裏面シート３の肌当接面側を被覆し、その代わりに、サイドギャザー形成用シート１２が裏面シート３の肌当接面側を被覆しない（換言すると、サイドギャザー形成用シート１２がサイドギャザーを形成する目的のみで設けられる）構成とすることもできる。また、表面シート２をサイドギャザー形成用シート１２と裏面シート３との間にまで延出させることもできる。
【００１６】
背側部Ａの両側部は、幅方向外方に延出する一対のサイドフラップ１１，１１となっている。背側部Ａにおける一対のサイドフラップ１１には、それぞれファスニング部材（ファスニングテープ）５，５が幅方向外方に延出するように一対取り付けられている。ファスニング部材５の構成の詳細については後述する。
【００１７】
腹側部Ｂの両側部も、幅方向外方に延出する一対のサイドフラップ１１，１１となっている。腹側部Ｂにおける裏面シート３の非肌当接面には、ファスニング部材５を止着自在なランディング部材１６が設けられている。
【００１８】
ランディング部材１６は、ファスニング部材５の止着材７の構成に応じて適当な構成のものが用いられる。例えば、止着材７がメカニカルファスナーのフック材から構成されている場合には、該フック材に係合可能なループ材を用いることができる。また、止着材７が粘着剤から構成されている場合には、該粘着剤が止着可能なシート材料を用いることができる。
尚、裏面シート３が止着材７と止着可能な材料から形成されている場合には、ランディング部材１６を省略し、ファスニング部材５の止着材７を裏面シート３に直接止着して、装着形態を形成することもできる。
【００１９】
股下部Ｃの両側部には、それぞれ複数本（例えば３本）のレッグ弾性部材１４が略直線状に配されている。レッグ弾性部材１４は、サイドギャザー形成用弾性部材１３よりも幅方向外方において、サイドギャザー形成用シート１２と裏面シート３との間に伸長状態で挟持固定されており、これによってレッグギャザーが形成されている。
サイドギャザー形成用弾性部材１３及びレッグ弾性部材１４は、何れも、糸状の形態を有し、おむつ本体１の長手方向に沿って配設されている。
【００２０】
背側部Ａ及び腹側部Ｂにおけるウエスト部には、それぞれ複数本（例えば４本）のウエスト弾性部材１５が配設されている。ウエスト弾性部材１５は、糸状の形態を有し、おむつ本体１の幅方向に沿って、サイドフラップ１１を除く全幅に亘って配されている。ウエスト弾性部材１５は、表面シート２又はサイドギャザー形成用シート１２と裏面シート３との間に伸長状態で挟持固定されており、これによってウエストギャザーが形成されている。
【００２１】
表面シート２、裏面シート３及び吸収体４としては、当該技術分野において通常用いられている材料を特に制限なく用いることができる。例えば表面シート２としては、親水化処理が施された各種不織布や開孔フィルム等の液透過性のシートを用いることができる。裏面シート３としては、熱可塑性樹脂のフィルムや該フィルムと不織布とのラミネート等の液透過性又は撥水性のシートを用いることができる。裏面シート３は水蒸気透過性を有していることが好ましい。吸収体４としては、パルプ積繊体や長繊維のウエブをティッシュペーパーや不織布で被覆されたものを用いることができる。吸収体４には高吸収性ポリマーが担持されていることが好ましい。
【００２２】
次に、ファスニング部材５について説明する。ファスニングテープ５は、図１及び図４に示すように、面状（シート状）の基材６の肌当接面側に、面状の止着材７が接合されて構成されている。
【００２３】
基材６は、その基端部６１が、サイドギャザー形成用シート１２と裏面シート３との間に挟持される形で、おむつ本体１の背側部Ａの両側部（サイドフラップ１１）に接合されている。基材６は、基端部６１から先端部６２に向けておむつ幅方向に延出している。基材６の先端部６２は、基端部６１の延出方向と直交する方向（換言するとおむつ長手方向に）に二股に分離しており、１個の基材６につき２個設けられている。２個の先端部６２，６２の肌当接面側にそれぞれ止着材７，７が接合されている。
【００２４】
ファスニング部材５の基材６の材料としては、例えば不織布、樹脂フィルム、不織布と樹脂フィルムとの積層体が挙げられる。更に具体的には、例えば、ポリエチレン、ポリプロピレン、ポリエチレンテレフタレート等の合成樹脂又はこれら合成樹脂の２種以上の複合材料が挙げられる。
【００２５】
止着材７としては、例えば、メカニカルファスナーのフック材（オス材）、粘着剤が用いられる。メカニカルファスナーのフック材としては、例えば、その表面に多数の錨形や鉤形のオス型係合材が配されたものを用いることができる。
【００２６】
止着材７の形状には特に制限はないが、本実施形態における止着材７は長方形の形状を有している。この止着材７は、ファスニング部材５の延出方向又は該延出方向に直交する方向に沿って配置されている。
止着材７は、図４に示すように、その基材６との対向面における周縁部全周に未接合部７２が形成されるように、基材６の表面に接合部７１により接合されている。尚、図４においては、止着材７について、接合部７１及び未接合部７２の範囲をそれぞれドットハッチング及び破線ハッチングで図示してある。
【００２７】
詳述すると、止着材７は、基材６の表面には全面的には接合されておらず、止着材７における基材６との対向面の中央部に存する接合部７１により、基材６の表面に接合されている。そして、止着材７における基材６との対向面のうち、接合部７１以外の領域は、基材６の表面に接合されていない未接合部７２となっている。未接合部７２は、接合部７１の周縁全周を包囲している。従って、止着材７における基材６との対向面の周縁部に、未接合部７２が存している。
【００２８】
接合部７１の形成手段には特に制限はなく、例えばホットメルト接着剤、ヒートシールから形成することができる。接合部７１の形状は、連続的（全面的）でもよく、非連続的でもよい。非連続な形状としては、例えばスパイラル形状、ストライプ形状、ウェーブ形状、ドット状が挙げられる。
【００２９】
本実施形態における接合部７１は、長方形の形状を有しており、ファスニング部材５の延出方向又は該延出方向に直交する方向に沿って配置されている。従って、未接合部７２は、大きな長方形の一部を小さな長方形でくり抜いた長方形輪状となっている。
【００３０】
未接合部７２は、止着材７における基材６との対向面の周縁に沿う幅Ｗ（図４参照）が、１〜１０ｍｍであることが好ましく、３〜５ｍｍであることが更に好ましい。「基材６との対向面の周縁に沿う幅」とは、該周縁に対する接線に沿って測定される幅である。該幅Ｗがこのような範囲であると、ファスニング部材５を引き剥がす方向の力が働いたとしても、ファスニング部材５の剥がれ防止効果が十分に奏される。該幅Ｗは、本実施形態においては一定（等幅）であるが、一定でなくてもよい。
【００３１】
前述した構成を有する本実施形態の使い捨ておむつによれば、以下の効果が奏される。展開型の使い捨ておむつにおいては、例えば、使い捨ておむつを装着した状態で座ったり、歩いたり、足を大きく動かすような動作をしたときに、ファスニング部材５の延出方向と直交する方向（おむつ長手方向）にファスニング部材５を引き剥がす力が加わる。また、使い捨ておむつの側部に手を入れるなどの動作をしたときに、ファスニング部材５の基端部から先端部に向けた方向にファスニング部材５を引き剥がす力が加わる。
【００３２】
而して、本実施形態の使い捨ておむつにおいては、ファスニング部材５の止着材７は、その基材６との対向面における周縁部全周に未接合部７２が形成されるように、基材６の表面に接合部７１により接合されている。そのため、ファスニング部材５の延出方向と直交する方向（おむつ長手方向）にファスニング部材５を引き剥がす力が加わったときに、止着材７には、その面方向と直交する方向（厚み方向）に向けて接合部７１と未接合部７２との境界を引っ張る方向の力（引っ張り力）が加わることになる。そして、基材６と接合部７１との接合力が止着材７とランディング部材１６との接合（係合）力よりも大きいため、この引っ張り力は、止着材７とランディング部材１６との間で剥離しようとするように働くことになる。しかし、止着材７の接合部７１と未接合部７２との境界は、止着材７とランディング部材１６との接合（係合）部の周縁部より内側にあるため、止着材７に対し、その面方向（即ち引っ張り力と直交する方向）に働くことになり、ランディング部材１６から引き剥がす作用を及ぼさない。
【００３３】
従って、図５に示すように、止着材７は、その周縁部に存する未接合部７２が存在することにより、ランディング部材１６から引き剥がれず、ファスニング部材５の剥がれ防止効果が十分に奏される。この効果は、例えばファスニング部材５の先端部から基端部に向けた方向にファスニング部材５を引き剥がす力が加わった場合にも奏される。
【００３４】
また、止着材７にはおむつ長手方向の股下側にも未接合部７２が存在するため、ファスニング部材５がずれたときにも肌に止着材７のフック等が直接触れることがなく、使用者が傷みを感じにくい。
尚、ファスニング部材５をランディング部材１６からスムーズに引き剥がすためには、止着材７の周縁部に存する未接合部７２を掴んで引き剥がせばよい。
【００３５】
本発明の使い捨ておむつは、上述した実施形態に制限されず、本発明の趣旨を逸脱しない範囲で種々変更が可能である。
ファスニング部材５の基材６は、おむつ本体１と一体的に（例えば、表面シート２及び裏面シート３が延出される形で）構成されていてもよい。
止着材７の接合部７１の形状は、例えば、上底及び下底がファスニング部材５の延出方向と直交する方向に延びる台形形状でもよい。
止着材７の未接合部７２は、基材６の表面に仮留めされていてもよい。仮留めとは、実使用上要求される接合力よりも小さい力で容易に剥がれてしまうような接合をいう。
本発明の使い捨ておむつは、成人用おむつに適しているが、幼児用おむつに適用することができる。
【図面の簡単な説明】
【００３６】
【図１】図１は、本発明の使い捨ておむつの一実施形態を展開し、伸長した状態で示す平面図（肌当接面側から視た図）である。
【図２】図２は、図１に示す使い捨ておむつを展開し、伸長した状態で示す底面図（非肌当接面側から視た図）である。
【図３】図３は、図１に示す使い捨ておむつの装着状態を模式的に示す斜視図である。
【図４】図４は、図１に示す使い捨ておむつにおけるファスニング部材の一部を拡大して示す平面図である。
【図５】図５は、図１に示す使い捨ておむつにおけるファスニング部材がおむつ本体から引き剥がれようとしている状態を模式的に示す拡大斜視図である。
【符号の説明】
【００３７】
１  おむつ本体
１１  サイドフラップ
１２  サイドギャザー形成用シート
１３  サイドギャザー形成用弾性部材
１４  レッグ弾性部材
１５  ウエスト弾性部材
１６  ランディング部材
２  表面シート
３  裏面シート
４  吸収体
５  ファスニング部材
６  基材
６１  基端部
６２  先端部
７  止着材
７１  接合部
７２  非接合部
Ａ  背側部
Ｂ  腹側部
Ｃ  股下部
【図１】
2007236434.tif 000003
【図２】
2007236434.tif 000004
【図３】
2007236434.tif 000005
【図４】
2007236434.tif 000006
【図５】
2007236434.tif 000007